(57)【要約】  【課題】  泳者等が計数ピースを確実に一つずつ移動させてプール往復回数を計数することができ、しかも、一目でその往復回数を把握することのできるプールカウンタを提供すること。  【解決手段】  基台１と、該基台１上に立設された一対の集積レール部２１と該集積レール部２１の上端同士を連結した連結レール部２２とから成るレールガイド２と、貫通孔３１に前記レールガイド２が挿通されて該レールガイド２に沿って移動可能に設けられた複数の計数ピース３とから、プールカウンタ１０を構成し、各計数ピース３に文字表示部３３１を形成し、各計数ピース３の文字表示部３３１の向きを基台１に対して揃える規制手段４を設けた。  【選択図】  図１
2006141417.tif 000002
【特許請求の範囲】
【請求項１】
泳者又は水中歩行者のプール往復回数等を計数するカウンタであって、
基台と、
前記基台上に立設された一対の集積レール部と、該集積レール部の上端同士を連結した連結レール部とから成るレールガイドと、
貫通孔を備え、該貫通孔に前記レールガイドが挿通されて該レールガイドに沿って移動可能に設けられた複数の計数ピースと、
から構成され、
前記各計数ピースに、文字等が表示された文字表示部を備え、
前記レールガイドの各集積レール部において、前記各計数ピースの文字表示部の向きを前記基台に対して揃える規制手段を備えたことを特徴とするプールカウンタ。
【請求項２】
前記規制手段が、
前記レールガイドの軸断面形状および前記計数ピースの貫通孔の孔形状をそれぞれ非円形に形成し、該計数ピースを該レールガイドの軸周りに回転不能に設けて構成されている請求項１記載のプールカウンタ。
【請求項３】
前記規制手段が、
前記レールガイドの各集積レール部において前記基台と該基台上に載置される最下方の計数ピースとの間に配設され、該基台の上部及び該計数ピースの下部のいずれか一方に設けられた第一斜面部と、他方に設けられた第一突起部とから成る第一配向手段と、
前記レールガイドの各集積レール部において上下に隣り合う計数ピース間に配設され、該下側の計数ピースの上部及び該上側の計数ピースの下部のいずれか一方に設けられた第二斜面部と、他方に設けられた第二突起部とから成る第二配向手段と、
から構成されている請求項１記載のプールカウンタ。
【請求項４】
前記基台に配設された前記第一配向手段の第一斜面部または第一突起部が、該基台に対しその配設方向を変更可能に設けられている請求項３記載のプールカウンタ。
【発明の詳細な説明】
【技術分野】
【０００１】
本発明は、プール内の泳者や水中歩行者のプール往復回数等を計数するのに最適なプールカウンタに関するものである。
【背景技術】
【０００２】
従来、プール内での泳者のプール往復回数を計数するための装置として、特許文献１に記載のものが知られている。しかしながら、この計数装置は、水平方向のレールに複数の珠を水平移動可能に嵌合して構成されていたため、水がかかったときにこれらの珠が勝手に動いてしまったり、或いは、水に濡れた珠が隣の珠とくっついてしまい、珠を一つずつ移動させることに手間取ってしまう難点があった。更にまた、従来の計数装置の場合、泳者や例えばその傍らにいる指導者等が、途中でその往復回数を把握するには、その都度、移動させた珠を数えなければならない煩わしさがあった。
【特許文献１】実公昭４８−２４８３０号公報
【発明の開示】
【発明が解決しようとする課題】
【０００３】
本発明は、従来の計数装置に上記のような難点があったことに鑑みて為されたもので、確実に一つずつ計数ピースを移動させてプール往復回数を計数することができ、しかも、意図しないときに計数ピースが移動してしまうことのないプールカウンタを提供することを技術的課題とする。
【０００４】
また、本発明の他の技術的課題は、プール往復運動の途中であっても、泳者等が一目で確実にその往復回数を把握することのできるプールカウンタを提供することにある。
【課題を解決するための手段】
【０００５】
本発明は、泳者又は水中歩行者のプール往復回数等を計数するカウンタであって、
基台と、前記基台上に立設された一対の集積レール部と該集積レール部の上端同士を連結した連結レール部とから成るレールガイドと、貫通孔を備え、該貫通孔に前記レールガイドが挿通されて該レールガイドに沿って移動可能に設けられた複数の計数ピースと、から構成され、
前記各計数ピースに、文字等が表示された文字表示部を備え、前記レールガイドの各集積レール部において、前記各計数ピースの文字表示部の向きを前記基台に対して揃える規制手段を備えたことを特徴とする。
【０００６】
また、本発明は、前記規制手段が、前記レールガイドの軸断面形状および前記計数ピースの貫通孔の孔形状をそれぞれ非円形に形成し、該計数ピースを該レールガイドの軸周りに回転不能に設けて構成されていることを特徴とする。
【０００７】
更にまた、本発明は、前記規制手段が、
前記レールガイドの各集積レール部において前記基台と該基台上に載置される最下方の計数ピースとの間に配設され、該基台の上部及び該計数ピースの下部のいずれか一方に設けられた第一斜面部と、他方に設けられた第一突起部とから成る第一配向手段と、
前記レールガイドの各集積レール部において上下に隣り合う計数ピース間に配設され、該下側の計数ピースの上部及び該上側の計数ピースの下部のいずれか一方に設けられた第二斜面部と、他方に設けられた第二突起部とから成る第二配向手段と、
から構成されていることを特徴とする。
【０００８】
更にまた、本発明は、前記基台に配設された前記第一配向手段の第一斜面部または第一突起部が、該基台に対しその配設方向を変更可能に設けられていることを特徴とする。
【発明の効果】
【０００９】
本発明に係るプールカウンタは、基台上に立設された一対の集積レール部において、複数の計数ピースをそれらの自重を利用して集積させることができるので、水がかかったときに計数ピースが勝手に反対側の集積レール部へ移動してしまうおそれもなく計数状態を確実に維持することができる。また、各計数ピースの自重を利用することができるので、計数ピースを一つずつ指先等で摘んで反対側の集積レール部へ移動させる際に、摘んだ計数ピースに水に濡れた下側の計数ピースがくっついて共に持ち上がってしまうこともなく、従来装置のように計数ピースの移動操作に手間取ることもない。
【００１０】
また、各計数ピースが文字表示部を備えているので、泳者、水中歩行者、或いはその傍らにいる指導者等が、一目で正確に往復回数を把握することができ、従来装置のように、いちいち計数ピースの移動個数を数える煩わしさもない。しかも、各計数ピースの文字表示部の向きを規制する規制手段を備えているので、各計数ピースをレールガイドに沿って移動させても、その文字表示部を常に手前に向けておくことができ、文字表示部の視認性を格段に向上させることができ、一目で確実に往復回数を把握することができる。
【発明を実施するための最良の形態】
【００１１】
以下、本実施形態のプールカウンタ１０について、図１〜図５を参照しながら詳しく説明する。
【００１２】
本実施形態のプールカウンタ１０は、図１に示すように、基台１と、この基台１上に設けられた倒立Ｕ字形状のレールガイド２と、このレールガイド２に沿って移動可能に設けられた複数の計数ピース３・３…と、これら計数ピース３・３…の向きを揃える規制手段４とから構成されている。
【００１３】
基台１は、直方体形状のアルミ材から形成されており、プールサイドに安定に載置することができ、かつ、手軽に持ち運びできる適度な重量を有している。基台１は、例えば合成樹脂材等の他の材料で形成することも可能であるが、計数操作時における安定性の観点から適度な重量を有し、そしてまた、水辺で使用することから耐食性に優れた錆びに強い材料で形成されていることが好ましい。勿論、表面に防錆処理を施した材料で形成しても良い。
【００１４】
レールガイド２は、上記基台１の上面に垂直に立設された一対の直棒状の集積レール部２１・２１と、これら集積レール部２１の上端同士を連結した半円弧形状の連結レール部２２とから構成されており、全体として倒立Ｕ字形状を成している。本実施形態では、一本のアルミ棒材をＵ字形状に曲げ加工することによってレールガイド２を一体に構成している。なお、レールガイド２の集積レール部２１は、必ずしも基台１に垂直な直棒形状でなくても良く、基台１に対し傾斜していても良く、曲がっていても良い。
【００１５】
計数ピース３は、図１及び図２に示すように、略円板形状の合成樹脂材にて形成されており、その中央に貫通孔３１が開設されている。この貫通孔３１内に上記レールガイド２が挿通されており、計１０個の計数ピース３がそれぞれ、レールガイド２に沿って移動可能に設けられている。図１に示すように、各計数ピース３はその自重によって、レールガイド２の集積レール部２１で互いに上下に重なり合った状態で集積され、最下方の計数ピース３は上記基台１上に載置される。
【００１６】
また、計数ピース３は、図２に示すように、その上下面にはそれぞれ、凸部３２が形成されており、各計数ピース３の凸部３２同士が接触し合って複数の計数ピース３が重なり合う。本実施形態では、計数ピース３の上下各面において、その周縁側に二つの凸部３２を対向状態で形成している。
【００１７】
更にまた、各計数ピース３の側面には、文字等が表示された文字表示部が形成されている。本実施形態では、図２に示すように、各計数ピース３に二つの文字表示部が背中合わせ状態で形成されている。即ち、計数ピース３の側面の片側（図２では表側）には、１〜１０までの数字のうちの一つを表示した第一文字表示部３３１が形成されている一方、その反対側（図２では裏側）には、１１〜２０までの数字のうちの一つを倒立状態で表示した第二文字表示部３３２が形成されている。そして、図１に示すように、全ての計数ピース３をレールガイド２の片側（図１では左側）の集積レール部２１に集積させたときに、各計数ピース３の第一文字表示部３３１によって、１〜１０までの数字が上から下へ降順に並び、かつ、反対側の第二文字表示部３３２によって、１１〜２０までの数字が下から上へ降順に倒立状態で並ぶように形成されている。
【００１８】
規制手段４は、上記計数ピース３の第一文字表示部３３１及び第二文字表示部３３２の基台１に対する向きを規制するものであり、本実施形態では、図２に示すように計数ピース３の貫通孔３１の孔形状を四角形状に形成するとともに、レールガイド２の軸断面形状を四角形状に形成することによって構成されている。即ち、各計数ピース３の四角形状の貫通孔３１内に軸断面四角形状のレールガイド２が挿通されており、各計数ピース２がレールガイド２の軸周りに回転できないように配設されている。この規制手段４によって、各計数ピース２をレールガイド２に沿って移動させても、第一文字表示部３３１及び第二文字表示部３３２の向きが計数ピースごとに区々になることもなく、基台１に対し同じ向きに揃えることができる。
【００１９】
以下、本実施形態のプールカウンタ１０の計数操作について説明する。
【００２０】
まず、本実施形態のプールカウンタ１０を用意し、図１に示すように、全ての計数ピース３をレールガイド２の片側（図１では左側）の集積レール部２１に集積させてプールサイドに載置する。
【００２１】
そして、泳者や水中歩行者等がプールを往復するたびに、計数ピース３を一つずつ反対側（図１では右側）の集積レール部２１へ移動させることによって、泳者の往復回数を計数する。反対側の集積レール部２１へ送られた計数ピース３は、連結レール部２２でその上下が反転され、図３に示すように、第一文字表示部３３１の数字が倒立した状態で、反対側の集積レール部２１に集積されてゆく。このように移動後の計数ピース３は倒立するので、次に移動させる計数ピース３の移動方向を間違えることもない。こうして、１回〜１０回までのプール往復回数が計数される（図４参照）。
【００２２】
次いで、計数ピース３をレールガイド２に沿って移動させることなく、プールカウンタ１０自体を前後反転させことによって、計数ピース３の第二文字表示部３３２を手前に向ける（図５参照）。この前後反転操作によって、片側（図５では左側）の集積レール部２１に全ての計数ピース３が集積された状態とすることができ、第二文字表示部３３２によって１１〜２０までの数字が上から下へ降順に並ぶことになる。
【００２３】
こうして、再び泳者等がプールを往復するたびに、計数ピース３を一つずつ反対側（図５では右側）の集積レール部２１へ移動させることによって、１１回〜２０回までのプール往復回数を計数してゆくのである。全ての計数ピース３を反対側へ移動させた後、再びプールカウンタ１０自体を前後反転させれば、図１に示す最初の状態に戻すことができ、再び１回〜１０回までの往復回数を計数し得る。
【００２４】
このように、本実施形態のプールカウンタ１０にあっては、基台１上に立設された一対の集積レール部２１において、複数の計数ピース３をそれらの自重を利用して集積させることができるので、水がかかったときに計数ピース３が勝手に反対側の集積レール部２１へ移動してしまうおそれもなく、計数状態を確実に維持することができる。
【００２５】
また、各計数ピース３の自重を利用することができるので、計数ピース３を一つずつ指先等で摘んで反対側の集積レール部へ移動させる際に、摘んだ計数ピース３に水に濡れた下側の計数ピースがくっついて共に持ち上がってしまうこともなく、従来装置のように計数ピースの移動操作に手間取ることもない。
【００２６】
更にまた、本実施形態のプールカウンタ１０にあっては、各計数ピース３が文字表示部を備えているので、泳者、水中歩行者、或いはその傍らにいる指導者等が、一目で正確に往復回数を把握することができ、従来装置のように、いちいち計数ピースの移動個数を数える煩わしさもない。しかも、プールカウンタ１０は、各計数ピース３の文字表示部の向きを規制する規制手段４を備えているので、各計数ピース３をレールガイド２に沿って移動させても、その文字表示部を常に手前に向けておくことができ、文字表示部の視認性を格段に向上させることができ、一目で確実に往復回数を把握することができる。
【００２７】
更にまた、本実施形態のプールカウンタ１０にあっては、各計数ピース３に、異なる数字をそれぞれ表示する二つの文字表示部３３１、３３２を背中合わせ状態で形成しているので、プールカウンタ１０自体を前後反転させる操作を行うだけで、１０個の計数ピース３で１回〜２０回までの往復回数を計数することが可能となり、カウンタの小型化を図ることができるとともに、その携帯性を向上させることができる。
【００２８】
なお、本実施形態では、計数ピース３を所定の厚みを有する略円板形状に形成し、その側面に文字表示部３３１、３３２を形成しているが、この計数ピースの形状、文字表示部の形成位置等について種々の設計変更が可能である。例えば、図６に示すように、略円板形状の計数ピース３の側面だけでなく、凸部３２の上下端面にも、同じ数字を表示する文字表示部３３１を形成することもできる。勿論、凸部３２を除く計数ピース３の上下面にだけ文字表示部を形成しても良い。更にまた、計数ピース３の形状を、その上下に円錐面を備えた算盤玉形状に形成し、これら斜面に一または複数の文字表示部を設けるようにしても良い。計数ピース同士の水濡れ吸着の程度、摘み易さ等の計数ピースの移動操作性、或いは文字表示部の視認性等を考慮して種々の設計変更が可能である。
【００２９】
更にまた、本実施形態のプールカウンタ１０にあっては、各計数ピース３の上下に凸部３２を設けているので、このことによっても、最下方の計数ピース３と基台１との接触面積、及び計数ピース３同士の接触面積を小さくすることができ、水濡れによる吸着を抑制することができ、計数ピース３の移動操作性を向上させることができる。また、この凸部３２の存在によって個々の計数ピース３を摘み易くなる。
【００３０】
以上、本実施形態のプールカウンタ１０について説明したが、本発明に係るプールカウンタはその他の形態でも実施することができる。
【００３１】
例えば、図７及び図８に示す、プールカウンタ２０のように構成しても良い。プールカウンタ２０は、計数ピースの文字表示部の向きを規制する規制手段の構成に特徴がある。上述したプールカウンタ１０においては、レールガイド２の軸断面形状および計数ピース３の貫通孔３１を非円形状に形成することにより規制手段４を構成しているが、プールカウンタ２０においては、レールガイド２の軸断面形状および計数ピース３の貫通孔３１をいずれも円形状に形成しており、各計数ピース３はレールガイド２の軸周りに自由に回転し得る。
【００３２】
プールカウンタ２０の規制手段５は、図７及び図８に示すように、基台１とこの基台１上に載置される最下方の計数ピース３との間に配設された第一配向手段５１と、レールガイド２の集積レール部２１において上下に隣り合う計数ピース３間に配設された第二配向手段５２とから構成されている。
【００３３】
第一配向手段５１は、図８に示すように、基台１の上部に配設された第一斜面部５１１と、最下方の計数ピース３の下部に配設された第一突起部５１２とから構成されている。第一突起部５１２は、計数ピース３のレールガイド２の軸周りの回転位置にかかわらず、必ず第一斜面部５１１に接触する位置に形成されている。したがって、第一突起部５１２が第一斜面部５１１の斜面中程に載せられたときには、計数ピース３の自重により、第一突起部５１２は第一斜面部５１１の最低位置へ向って滑り落ちることになる。その結果、計数ピース３がレールガイド２の軸周りに回転し、その文字表示部３３１の向きが第一斜面部５１１の配設方向に基づいて配向されることになり、基台１に対する計数ピース３の文字表示部３３１の向きが規制される。
【００３４】
第二配向手段５２は、図８に示すように、上下に隣り合う下側の計数ピース３の上部に配設された第二斜面部５２１と、上側の計数ピース３の下部に配設された第二突起部５２２とから構成されている。第二突起部５２２は、計数ピース３のレールガイド２の軸周りの回転位置にかかわらず、必ず第二斜面部５２１に接触する位置に形成されている。したがって、第二突起部５２２が第二斜面部５２１の斜面中程に載せられたときには、上側の計数ピース３の自重により、第二突起部５２２は第二斜面部５２１の最低位置へ向かって滑り落ちることになる。その結果、上側の計数ピース３がレールガイド２の軸周りに回転し、その文字表示部３３１の向きが第二斜面部５２１の配設方向に基づいて配向されることになり、下側の計数ピース３に対する上側の計数ピース３の文字表示部３３１の向きが規制される。
【００３５】
これら第一配向手段５１及び第二配向手段５２が協働することによって、レールガイド２の各集積レール部２１において、全ての計数ピース３の文字表示部３３１の向きを基台１に対し揃えることが可能となる。
【００３６】
なお、プールカウンタ２０においては、第一配向手段５１の第一斜面部５１１を基台１の上部に形成し、第一突起部５１２を計数ピース３の下部に形成しているが、本発明は決してこれに限定されるものではなく、これとは逆に、第一斜面部５１１を計数ピース３の下部に形成し、第一突起部５１２を基台１の上部に形成しても良い。第二配向手段５２の第二斜面部５２１及び第二突起部５２２についても同様である。なお、本実施変形例のプールカウンタ２０においては、図８に示すように、円筒状体の一端部をその軸方向に対し斜めに切断した形状の突起部材を計数ピースの上下面にそれぞれ配設しており、この突起部材によって、第一配向手段５１の第一斜面部５１１及び第一突起部５１２、並びに第二配向手段５２の第二斜面部５２１及び第二突起部５２２を形成している。このように同一形状の突起部材を採用することによって、計数ピース３の製造コストを抑えることが可能となる。
【００３７】
このように、プールカウンタ２０にあっては、第一配向手段５１と第二配向手段５２とによって規制手段５を構成しており、各計数ピース３の移動中においては、各計数ピース３は軸周りに回転可能である。したがって、計数ピース３をよりスムーズに移動させることができ、プールカウンタ２０の操作性を向上させることが可能となる。
【００３８】
また、本発明に係るプールカウンタは、図９〜図１２に示すプールカウンタ３０のように構成しても良い。
【００３９】
プールカウンタ３０は、規制手段５の第一斜面部５１１の向きを適宜に変更可能に構成した点に特徴がある。上述したプールカウンタ２０においては、規制手段５の第一斜面部５１１を基台１に固定しているが、プールカウンタ３０においては、第一斜面部５１１と基台１との間に方向変換手段６を設けている。
【００４０】
方向変換手段６は、図１０及び図１１に示すように、上部に第一斜面部５１１が固定された操作部材６１と、基台１の上部に形成され、操作部材６１が着脱自在に嵌合される嵌合凹部６２とから構成されている。操作部材６１には、その上下面を貫通する貫通孔が開設されており、この貫通孔内にレールガイド２が挿通されている。このことで、操作部材６１をレールガイド２の集積レール部２１に沿って上下移動させることができ、そして、その上昇位置においてレールガイド２の軸周りに適宜に回転させることができる。
【００４１】
図１０に示すように、操作部材６１は通常、その下部が嵌合凹部６２内に嵌合されており、この状態では、操作部材６１を軸周りに回転させることはできない。第一斜面部５１１の配設方向を変更する場合には、まず、図１１に示すように、操作部材６１を上方へ移動させて嵌合凹部６２から外す。そして、操作部材６１を軸周りに９０度回転させた後、操作部材６１を再び嵌合凹部６２内へ嵌合させる。このように簡単な操作で第一斜面部５１１の配設方向を変更することができ、その変更方向を確実に維持することができる。
【００４２】
また、プールカウンタ３０においては、各計数ピース３の周側面に、それそれ異なる数字を表示した計四つの文字表示部が等間隔に形成されている。つまり、図１０に示すように、各計数ピース３の側面の一部に、１〜１０までの数字のうちの一つを表示した第一文字表示部３３１が形成され、この第一文字表示部３３１の反対側には、１１〜２０までの数字のうちの一つを倒立状態で表示した第二文字表示部３３２が背中合わせ状態で形成され、第一文字表示部３３１の隣（図１０では図面に向かって左隣）には、２１〜３０までの数字のうちの一つを表示した第三文字表示部３３３が形成され、この第三文字表示部３３３の反対側には、３１〜４０までの数字のうちの一つを倒立状態で表示した第四文字表示部３３４が背中合わせ状態で形成されている。そして、図９に示すように、全ての計数ピース３をレールガイド２の片側（図９では左側）の集積レール部２１に集積させたとき、各計数ピース３の第一文字表示部３３１によって１〜１０までの数字が上から下へ降順に並び、第二文字表示部３３２によって１１〜２０までの数字が下から上へ降順に倒立状態で並び、第三文字表示部３３３によって２１〜３０までの数字が上から下へ降順に並び、第四文字表示部３３４によって３１〜４０までの数字が下から上へ降順に倒立状態で並ぶように形成されている。
【００４３】
このプールカウンタ３０の計数操作は以下の手順で行う。
【００４４】
まず、プールカウンタ３０を用意し、図９に示すように、全ての計数ピース３をレールガイド２の片側（図９では左側）の集積レール部２１に集積させてプールサイドに載置する。そして、泳者等がプールを往復するたびに、計数ピース３を一つずつ反対側（図９では右側）の集積レール部２１へ移動させることによって、１回〜１０回までのプール往復回数を計数する。次に、プールカウンタ３０自体を前後反転させることによって、計数ピース３の第二文字表示部３３２を手前に向ける。そして、再び泳者等がプールを往復するたびに、計数ピース３を一つずつ反対側の集積レール部２１へ移動させることによって、１１回〜２０回までのプール往復回数を計数する。
【００４５】
次に、再びプールカウンタ３０自体を前後反転させ、その後、図１１に示すように方向変換手段６の操作部材６１を操作して第一斜面部５１１を左回りに９０度回転させることによって、各計数ピース３の第三文字表示部３３３を手前に向ける（図１２参照）。
【００４６】
そして、再び泳者等がプールを往復するたびに、計数ピース３を一つずつ反対側の集積レール部２１へ移動させることによって２１回〜３０回までのプール往復回数を計数する。次に、プールカウンタ３０自体を前後反転させことによって、計数ピース３の第四文字表示部３３４を手前に向ける。そして、再び泳者等がプールを往復するたびに、計数ピース３を一つずつ反対側の集積レール部２１へ移動させることによって３１回〜４０回までのプール往復回数を計数する。全ての計数ピース３を反対側へ移動させた後、再びプールカウンタ３０自体を前後反転させ、そして、方向変換手段６により第一斜面部５１１を右回りに９０度回転させれば、図９に示す最初の状態に戻すことができ、再び１回〜１０回までの往復回数を計数し得るのである。
【００４７】
このように、プールカウンタ３０にあっては、規制手段５の第一斜面部５１１の向きを適宜に変更することができ、各計数ピース３にそれそれ異なる数字を表示した四つの文字表示部が形成されているので、１０個の計数ピース３で１回〜４０回までの往復回数を計数することが可能となり、カウンタの小型化を図ることができるとともに、その携帯性を格段に向上させることができる。
【００４８】
また、プールカウンタ３０にあっては、方向変換手段６の操作部材６１の平面形状、及び嵌合凹部６２の開口形状を正方形状に形成しているので、規制手段５の第一斜面部５１１の向きを確実に９０度ずつ変更することができ、方向変換の操作性を向上させることができる。
【００４９】
なお、規制手段５の第一斜面部５１１の向きを適宜に変更する手段として、他の構成を採用することも勿論可能である。例えば、規制手段５の第一斜面部５１１又は第一突起部５１２を単に基台１の上部に回動可能に配設するようにしても良い。この場合、第一斜面部５１１等が意図しないときに回動してしまうのを防ぐため、基台１等との間に適度な回動抵抗を付与しておくことが好ましい。また、例えば、第一斜面部５１１又は第一突起部５１２の外周面に凹部を形成するとともに、基台１等に爪部を設け、この凹部に爪部を係止させて第一斜面部５１１等を所定の回動角度位置で保持するようにしても良い。
【００５０】
本発明はその趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【図面の簡単な説明】
【００５１】
【図１】本実施形態のプールカウンタの全体正面図である。
【図２】同プールカウンタの計数ピースの拡大斜視図である。
【図３】同プールカウンタの計数操作時の正面図である。
【図４】同プールカウンタの計数操作時の正面図である。
【図５】同プールカウンタの計数操作時の正面図である。
【図６】本発明の実施変形例のプールカウンタの計数ピースの拡大斜視図である。
【図７】本発明の他の実施変形例のプールカウンタの全体正面図である。
【図８】同プールカウンタの基台及び計数ピースの要部拡大斜視図である。
【図９】本発明の更に他の実施変形例のプールカウンタの全体正面図である。
【図１０】同プールカウンタの基台及び計数ピースの要部拡大斜視図である。
【図１１】同プールカウンタの計数操作時の要部拡大斜視図である。
【図１２】同プールカウンタの計数操作時の要部拡大斜視図である。
【符号の説明】
【００５２】
１０、２０、３０  プールカウンタ
１  基台
２  レールガイド
２１  集積レール部
２２  連結レール部
３  計数ピース
３１  貫通孔
３２  凸部
３３１  第一文字表示部
３３２  第二文字表示部
３３３  第三文字表示部
３３４  第四文字表示部
４、５  規制手段
５１  第一配向手段
５１１  第一斜面部
５１２  第一突起部
５２  第二配向手段
５２１  第二斜面部
５２２  第二突起部
６  方向変換手段
６１  操作部材
６２  嵌合凹部
【図１】
2006141417.tif 000003
【図２】
2006141417.tif 000004
【図３】
2006141417.tif 000005
【図４】
2006141417.tif 000006
【図５】
2006141417.tif 000007
【図６】
2006141417.tif 000008
【図７】
2006141417.tif 000009
【図８】
2006141417.tif 000010
【図９】
2006141417.tif 000011
【図１０】
2006141417.tif 000012
【図１１】
2006141417.tif 000013
【図１２】
2006141417.tif 000014